(57)【要約】【課題】電子番組表において一度に表示する情報量を減らすことなく、視聴者が見たい番組とそうでない番組の区別をつき易くした電子番組表を出力できる放送受信装置を提供する。【解決手段】ＴＶ受像機１は、番組情報を含む放送信号を受信するデジタルチューナ部１４と、受信した放送信号から番組情報を抽出する分離部１７と、抽出した番組情報に基づいて電子番組表を生成するＯＳＤ処理部２０と、電子番組表の番組を検索するための検索情報を入力するリモコンＲとを備える。ＯＳＤ処理部２０は、リモコンＲにより入力された検索情報に合致する番組の表示欄が他の番組の表示欄と比較して大きくなるように、電子番組表を生成する。ＯＳＤ処理部２０は、電子番組表に含まれる番組を時間方向とチャンネル方向に分割し、前記他の番組の表示欄を放送時間単位及び／又はチャンネル単位で縮小する。【選択図】図１
2009060503.tif 000002
【特許請求の範囲】
【請求項１】
番組情報を取得する番組情報取得手段と、該取得した番組情報に基づいて電子番組表を生成する電子番組表生成手段と、前記電子番組表の番組を検索するための検索情報を入力する検索情報入力手段とを備え、
前記電子番組表生成手段は、前記検索情報入力手段により入力された検索情報に合致する番組の表示欄が他の番組の表示欄と比較して大きくなるように表示することを特徴とする放送受信装置。
【請求項２】
請求項１に記載の放送受信装置において、前記電子番組表生成手段は、前記電子番組表に含まれる番組を時間方向とチャンネル方向に分割し、前記他の番組の表示欄を放送時間単位及び／又はチャンネル単位で縮小することを特徴とする放送受信装置。
【請求項３】
請求項１に記載の放送受信装置において、前記電子番組表生成手段は、前記電子番組表に含まれる番組を時間方向とチャンネル方向に分割し、前記他の番組の表示欄を放送時間単位及び／又はチャンネル単位で縮小すると共に、前記検索情報に合致する番組を含む放送時間単位及び／又はチャンネル単位で表示欄を拡大することを特徴とする放送受信装置。
【請求項４】
請求項１乃至３のいずれか１項に記載の放送受信装置において、前記検索情報は、ユーザが視聴したい番組の番組情報に含まれるキーワードあるいはジャンルであることを特徴とする放送受信装置。
【請求項５】
請求項１乃至３のいずれか１項に記載の放送受信装置において、前記検索情報は、ユーザが視聴したい番組を特定するための情報であることを特徴とする放送受信装置。
【請求項６】
請求項１乃至３のいずれか１項に記載の放送受信装置において、前記検索情報は、ユーザが視聴したい放送時間帯を特定するための情報であることを特徴とする放送受信装置。
【請求項７】
請求項１乃至３のいずれか１項に記載の放送受信装置において、前記検索情報は、ユーザが視聴したい放送チャンネルを特定するための情報であることを特徴とする放送受信装置。
【請求項８】
番組情報を取得する番組情報取得ステップと、該取得した番組情報に基づいて電子番組表を生成する電子番組表生成ステップと、前記電子番組表の番組を検索するための検索情報を入力する検索情報入力ステップとを備え、
前記電子番組表生成ステップは、前記検索情報入力ステップにて入力された検索情報に合致する番組の表示欄が他の番組の表示欄と比較して大きくなるように表示することを特徴とする電子番組表生成方法。
【発明の詳細な説明】
【技術分野】
【０００１】
本発明は、放送受信装置及び電子番組表生成方法、より詳細には、デジタル放送等で用いられる電子番組表を出力可能な放送受信装置及び該装置による電子番組表生成方法に関する。
【背景技術】
【０００２】
ＢＳデジタル放送、ＣＳデジタル放送、及び地上波デジタル放送などのデジタル放送によって数多くの番組が配信されているが、これらの番組の番組タイトル名、放送時間、放送内容（あらすじ等）などを含む番組情報がテレビの映像や音声とは別に配信されている。この番組情報は、例えば、縦軸（チャンネル方向）に放送事業者名、横軸（時間方向）に放送時間帯を配置した電子番組表として表示される。視聴者は電子番組表の中から所望の番組をリモートコントローラ等で選択することで、番組を選択し、視聴予約や録画予約などを行うことができる。
【０００３】
このような電子番組表において、ＣＳデジタル放送などの多チャンネル化に伴い、多数の番組を表示することになるが、限られた表示スペースに多くの番組を表示させるために、１番組当りの表示欄が小さくなり、番組情報の視認性が悪くなっていた。
【０００４】
これに対して、例えば、特許文献１，２には、電子番組表中に含まれる特定の番組の表示欄のみを拡大表示することにより、視聴者が見たい番組の詳細な番組情報を見易く表示する技術が記載されている。
特許文献１に記載の技術の場合、画面に表示された電子番組表に含まれる番組名のうち、詳細な情報を表示したい番組名にカーソルを合わせて選択すると、電子番組表は当該番組名の表示欄に対応してチャンネル軸方向及び時間軸方向に拡大されて表示される。これにより当該番組の表示欄のスペースが大きくなり、その表示欄に詳細情報が表示される。
特許文献２に記載の技術の場合、電子番組表の複数の表示項目の中から所望の表示項目がリモコン等により選択されると、選択された表示項目を、電子番組表において当該表示項目が表示されていた位置を変更することなく、拡大して表示する。
【０００５】
上記特許文献１，２に記載の技術の場合、ユーザが見たい特定の番組の表示欄を拡大表示させることで、その特定番組の番組情報を分かり易く表示することができるが、ＣＳデジタル放送などのように多くの番組を含む電子番組表を表示させ、視聴者がこの電子番組表から番組を探す場合、見たい番組とそうでない番組を見分けるのに時間がかかってしまうという問題があった。
【０００６】
これに対して、ジャンル検索やキーワード検索を用いることで、視聴者の好みのジャンルやキーワードに合致した番組（すなわち、視聴者が見たい好みの番組）のみを抽出して表示する方法がある。この場合、電子番組表には、ジャンルやキーワードに合致した番組のみが一様に同じサイズで表示される。
【特許文献１】特開平１１−１５５１１０号公報
【特許文献２】特開２００２−３００４９２号公報
【発明の開示】
【発明が解決しようとする課題】
【０００７】
しかしながら、従来のジャンル検索やキーワード検索を用いる場合、電子番組表には、ジャンルやキーワードに合致した番組のみが一様に表示され、同一時間帯に放送が予定されている他の番組を表示することができない。このため、視聴者は、ジャンルやキーワードに合致した番組以外の他の番組構成を確認することができず、これを確認するためには電子番組表を表示し直すなどの操作を行う必要がある。
【０００８】
すなわち、従来の電子番組表の場合、視聴者が見たい番組とそうでない番組を、ジャンル検索等により区別し易くすることで、電子番組表の同一時間帯で一度に表示できる情報量が減ってしまい、同一時間帯における電子番組表全体の番組構成を確認することができなかった。このため、視聴者は同一時間帯の他の番組を見たい場合、電子番組表全体を再度表示させて、選択しなければならず、操作が煩雑になるという問題があった。
【０００９】
本発明は、上述のごとき実情に鑑みてなされたものであり、電子番組表において一度に表示する情報量を減らすことなく、視聴者が見たい番組とそうでない番組の区別をつき易くした電子番組表を出力できる放送受信装置及び該装置による電子番組表生成方法を提供すること、を目的とする。
【課題を解決するための手段】
【００１０】
上記課題を解決するために、本発明の第１の技術手段は、番組情報を取得する番組情報取得手段と、取得した番組情報に基づいて電子番組表を生成する電子番組表生成手段と、電子番組表の番組を検索するための検索情報を入力する検索情報入力手段とを備え、電子番組表生成手段は、検索情報入力手段により入力された検索情報に合致する番組の表示欄が他の番組の表示欄と比較して大きくなるように表示することを特徴としたものである。
【００１１】
第２の技術手段は、第１の技術手段において、電子番組表生成手段は、電子番組表に含まれる番組を時間方向とチャンネル方向に分割し、他の番組の表示欄を放送時間単位及び／又はチャンネル単位で縮小することを特徴としたものである。
【００１２】
第３の技術手段は、第１の技術手段において、電子番組表生成手段は、電子番組表に含まれる番組を時間方向とチャンネル方向に分割し、他の番組の表示欄を放送時間単位及び／又はチャンネル単位で縮小すると共に、検索情報に合致する番組を含む放送時間単位及び／又はチャンネル単位で表示欄を拡大することを特徴としたものである。
【００１３】
第４の技術手段は、第１乃至第３のいずれか１の技術手段において、検索情報は、ユーザが視聴したい番組の番組情報に含まれるキーワードあるいはジャンルであることを特徴としたものである。
【００１４】
第５の技術手段は、第１乃至第３のいずれか１の技術手段において、検索情報は、ユーザが視聴したい番組を特定するための情報であることを特徴としたものである。
【００１５】
第６の技術手段は、第１乃至第３のいずれか１の技術手段において、検索情報は、ユーザが視聴したい放送時間帯を特定するための情報であることを特徴としたものである。
【００１６】
第７の技術手段は、第１乃至第３のいずれか１の技術手段において、検索情報は、ユーザが視聴したい放送チャンネルを特定するための情報であることを特徴としたものである。
【００１７】
第８の技術手段は、番組情報を取得する番組情報取得ステップと、取得した番組情報に基づいて電子番組表を生成する電子番組表生成ステップと、電子番組表の番組を検索するための検索情報を入力する検索情報入力ステップとを備え、電子番組表生成ステップは、検索情報入力ステップにて入力された検索情報に合致する番組の表示欄が他の番組の表示欄と比較して大きくなるように表示することを特徴としたものである。
【発明の効果】
【００１８】
本発明によれば、電子番組表において一度に表示する情報量を減らすことなく、視聴者が見たい番組とそうでない番組の区別をつき易くした電子番組表を出力できるため、視聴者はより短時間で目的の番組を探すことができると共に、さらに、電子番組表全体の番組構成も確認することができる。
【発明を実施するための最良の形態】
【００１９】
以下、添付図面を参照しながら、本発明の放送受信装置及び該装置による電子番組表生成方法の好適な実施の形態について説明する。以下、本発明に係る放送受信装置について、ＴＶ受像機を例に挙げて説明するが、放送信号を受信する機能と、電子番組表を生成する機能とを備えたレコーダなどにも同様に適用できる。
【００２０】
図１は、本発明に係るＴＶ受像機の構成例を示すブロック図で、図中、１はＴＶ受像機を示す。ＴＶ受像機１は、デジタル放送とアナログ放送のいずれも受信可能なＴＶ受像機であって、アナログ放送を受信する受信アンテナ１１と、デジタル放送を受信する受信アンテナ１２と、アナログ放送の受信信号を選局するアナログチューナ部１３と、デジタル放送の受信信号を選局するデジタルチューナ部１４と、アナログ放送の受信データからオーディオデータ／ビデオデータを抽出するＡＶスイッチ部１５と、選局されたデジタル放送のデータを復調するデジタル復調部１６とを備える。なお、衛星放送等の他の放送を受信するには、同様にアンテナ、チューナ、及び復調部などをＴＶ受像機１に設ければよい。
【００２１】
また、ＴＶ受像機１は、デジタル放送の受信信号に含まれる番組情報の抽出や、復調されたＡＶデータの分離を行う分離部１７と、分離部１７で分離されたデジタル放送のビデオデータをデコードしたり、ビデオ情報を静止画としてキャプチャするビデオデコード／キャプチャ部１８と、アナログ放送のビデオ信号とデジタル放送のビデオ信号との切換を行うビデオセレクタ部１９と、分離部１７で分離された番組情報から電子番組表を生成する処理や、ＯＳＤ（オンスクリーンディスプレイ）の出力処理を行うと共に、電子番組表と予約情報とをミックスさせて出力する処理を行うＯＳＤ処理部２０とを備える。
【００２２】
また、ＴＶ受像機１は、分離部１７で分離されたオーディオデータをデコードするオーディオデコード部２１と、セレクトされたビデオ信号と電子番組表やＯＳＤとを合わせてからビデオ出力として変換するビデオ出力変換部２２と、アナログ放送のオーディオ信号とデジタル放送のオーディオ信号の切換を行うオーディオセレクタ部２３と、セレクトされたオーディオ信号を出力信号に変換するオーディオ出力変換部２４と、アナログ放送及びデジタル放送のチューナでの選局処理を行う選局部２７とを備える。
【００２３】
さらに、ＴＶ受像機１は、映像を表示する表示手段として液晶表示装置２５と、音声出力用にスピーカ２６とを備える。液晶表示装置２５は、ビデオ出力変換部２２から出力されたビデオ信号（映像信号）を表示する。本発明における表示手段としては、当然、プラズマパネルディスプレイ等の他の方式の表示装置を適用してもよい。スピーカ２６は、オーディオ出力変換部２４から出力された出力信号に基づき音声を出力する。
【００２４】
また、ＴＶ受像機１は、ユーザが操作するリモコンＲからの信号を受信するリモコン受光部３２と、ＴＶ受像機１の本体に設けられた本体操作部３３と、電話回線、ＬＡＮ、インターネット等のネットワーク網との通信制御を行うと共に、インターネット等から番組情報を取得する通信制御部３１とを備える。
【００２５】
また、ＴＶ受像機１は、全体の処理を実行するＣＰＵ２９と、任意のアドレスを指定して読み書きすることが可能な半導体メモリであってＣＰＵ２９の作業領域となって不揮発性メモリ３０に格納されたプログラムや処理中のデータを一時的に格納するＲＡＭ２８と、プログラムや電子番組表、ユーザデータなどの各種データが格納される書き換え可能な不揮発性メモリ３０とを備える。
【００２６】
本発明に係るＴＶ受像機１の主たる特徴部分は、電子番組表の一度に表示する情報量を減らすことなく、視聴者が見たい番組とそうでない番組の区別をつき易くした電子番組表を出力することにある。より具体的には、通常のジャンル検索のように、特定のジャンルのみを一様に表示するのではなく、電子番組表に表示させる番組自体は絞り込まず、特定のジャンルコードやキーワード等を持つ番組の表示欄を通常サイズで表示させ、一方、他の番組の表示欄を縮小サイズで表示させる。あるいは、特定のジャンルコードやキーワード等を持つ番組の表示欄を拡大サイズで表示させ、一方、他の番組の表示欄を縮小サイズあるいは通常サイズで表示させる。
【００２７】
このための構成として、ＴＶ受像機１は、番組情報を取得する番組情報取得手段に相当するデジタルチューナ部１４あるいは通信制御部３１と、取得した番組情報に基づいて電子番組表を生成する電子番組表生成手段に相当するＯＳＤ処理部２０と、電子番組表の番組を検索するための検索情報を入力する検索情報入力手段に相当するリモコンＲあるいは本体操作部３３とを備える。ＯＳＤ処理部２０は、リモコンＲあるいは本体操作部３３により入力された検索情報に合致する番組を電子番組表から検索し、検索した番組の表示欄が他の番組の表示欄と比較して大きくなるように、電子番組表を生成する。なお、検索情報としては、例えば、ユーザ（視聴者）が視聴したい番組の番組情報に含まれるキーワードやジャンルなどを入力することができる。
【００２８】
入力可能な検索情報の他の例として、ユーザが視聴したい番組を特定するための情報、例えば番組コードや番組タイトル名などを入力してもよい。この場合、ユーザが普段よく視聴する番組の番組コードや番組タイトル名などを入力することで、該当番組が検索される。また、ユーザが視聴したい放送時間帯を特定するための情報であってもよい。この場合、ユーザが普段よく視聴する時間帯（例えば、２０：００〜２１：００など）を入力することで、この時間帯に含まれる番組が検索される。また、ユーザが視聴したい放送チャンネルを特定するための情報であってもよい。この場合、ユーザが普段よく視聴する放送チャンネル（例えば、１０１ｃｈなど）を入力することで、この放送チャンネルで放送される番組が検索される。
【００２９】
ＯＳＤ処理部２０は、例えば、番組のジャンルとして“スポーツ”が入力されると、電子番組表上でジャンルが“スポーツ”の番組（プロ野球中継やサッカー中継など）を検索する。そして、電子番組表を生成し、検索された番組（ジャンルが“スポーツ”）の表示欄を通常サイズで出力し、他の番組の表示欄を縮小サイズで出力する。または、検索された番組の表示欄を拡大サイズで出力し、他の番組の表示欄を縮小サイズあるいは通常サイズで出力するようにしてもよい。
【００３０】
これにより、電子番組表において、視聴者が着目した番組（すなわち、視聴者が見たい番組）を強調して表示しつつ、他の番組も併せて表示させることができるため、視聴者は電子番組表の全体の流れも見渡すことができる。また、電子番組表中の特定のジャンルコードやキーワード等に合致した番組の表示欄を、他の番組の表示欄と比較して大きく表示することにより、番組のガイド情報等を省略することなく、分かり易く表示させることができる。
【００３１】
以下では、ユーザにより入力された検索情報（ジャンル、キーワードなど）に合致する番組の表示欄を通常サイズで出力し、他の番組の表示欄を縮小サイズで表示する場合を代表例として説明する。
図２は、ＴＶ受像機１が備えるＯＳＤ処理部２０の構成例を示すブロック図である。ＯＳＤ処理部２０は、前述した電子番組表生成手段の機能を備え、大きく分けて、縮小／通常表示切替部２０１、時間方向縮小処理部２０２、チャンネル方向縮小処理部２０３、及び番組データＯＳＤ化部２０４を備える。なお、ここでは後述の図３に示すように時間方向を電子番組表の横方向とし、チャンネル方向を電子番組表の縦方向とする。
【００３２】
時間方向縮小処理部２０２は、時間単位で番組データ（以下、第１番組データ）を分割する第１番組データ分割部２０２ａと、分割した第１番組データの表示欄の時間方向を縮小する時系列縮小番組データ生成部２０２ｂと、縮小した第１番組データを一時的に蓄積する第１番組データ用バッファ２０２ｃと、第１番組データ用バッファ２０２ｃに蓄積された第１番組データを再構築する第１番組データ再構築部２０２ｄとを備える。
また、チャンネル方向縮小処理部２０３は、１チャンネル単位で番組データ（以下、第２番組データ）を分割する第２番組データ分割部２０３ａと、分割した第２番組データの表示欄のチャンネル方向を縮小するチャンネル系列縮小番組データ生成部２０３ｂと、縮小した第２番組データを一時的に蓄積する第２番組データ用バッファ２０３ｃと、第２番組データ用バッファ２０３ｃに蓄積された第２番組データを再構築する第２番組データ再構築部２０３ｄとを備える。
【００３３】
なお、ユーザの番組に対する検索情報は、時系列縮小番組データ生成部２０２ｂとチャンネル系列縮小番組データ生成部２０３ｂに入力される。時系列縮小番組データ生成部２０２ｂは、ユーザの番組に対する検索情報に合致する番組データの表示欄の時間方向については縮小処理を行わない。同様に、チャンネル系列縮小番組データ生成部２０３ｂは、ユーザの番組に対する検索情報に合致する番組データの表示欄のチャンネル方向については縮小処理を行わない。
【００３４】
このように、時間方向縮小処理部２０２及びチャンネル方向縮小処理部２０３により、電子番組表に含まれる番組を時間方向とチャンネル方向に分割し、検索情報に合致する番組以外の他の番組の表示欄を、放送時間単位及び／又はチャンネル単位で縮小する。
または、時間方向縮小処理部２０２及びチャンネル方向縮小処理部２０３により、電子番組表に含まれる番組を時間方向とチャンネル方向に分割し、検索情報に合致する番組以外の他の番組の表示欄を、放送時間単位及び／又はチャンネル単位で縮小すると共に、検索情報に合致する番組を含む放送時間単位及び／又はチャンネル単位で表示欄を拡大するようにしてもよい。
【００３５】
ここで、検索情報に合致する番組の表示欄がより強調されて表示されるように、表示枠を太線にしたり、表示欄に他の表示欄と異なる色を付けるようにしてもよい。また、表示欄中の文字（フォント）に他の表示欄のフォントと異なる色を付けたり、フォントを変更するなどしてもよい。
【００３６】
なお、番組の表示欄に表示される番組情報の文字サイズ（フォントサイズ）は、表示欄の拡大／縮小に応じて変更される。すなわち、表示欄が拡大された場合、これに応じてフォントサイズを拡大し、一方、表示欄が縮小された場合、これに応じてフォントサイズを縮小するか、あるいは、フォントサイズを変更せずに、番組情報の一部を省略するようにしてもよい。
【００３７】
また、ＯＳＤ処理部２０は、時間方向縮小処理部２０２の前段に縮小／通常表示切替部２０１を備える。縮小／通常表示切替部２０１は、入力された番組データに対して、本発明の“縮小／通常表示処理”を行うか、従来通りの“通常表示処理”を行うかを、ＣＰＵ２９からの制御に基づいて切り替える。ＣＰＵ２９は、リモコンＲまたは本体操作部３３からなされるユーザの電子番組表表示切替操作に応じて、“縮小／通常表示処理”あるいは“通常表示処理”のいずれかに切り替えるための制御を行う。“通常表示処理”に切り替えられた番組データは、番組データＯＳＤ化部２０４に送られて通常の電子番組表として出力される。また、“縮小／通常表示処理”に切り替えられた番組データは、時間方向縮小処理部２０２及びチャンネル方向縮小処理部２０３にて縮小処理が施された後に、電子番組表として出力される。
【００３８】
番組データＯＳＤ化部２０４は、“縮小／通常表示処理”の場合、ユーザの番組に対する検索情報（ジャンルやキーワードなど）に合致する番組の表示欄が他の番組の表示欄と比較して大きくなるように、電子番組表を生成した後に出力し、一方、“通常表示処理”の場合、全ての番組の表示欄が同じ大きさとなる従来の電子番組表を出力する。
【００３９】
なお、“縮小／通常表示処理”の場合、番組データＯＳＤ化部２０４で生成され表示される電子番組表の番組数は、生成前（すなわち、“通常表示処理”の場合）に表示される電子番組表の番組数以上となるように生成される。このため、電子番組表で一度に表示できる情報量を減らさずに、検索情報に合致する番組を大きく強調表示することができる。
【００４０】
図３は、本発明のＴＶ受像機１による電子番組表生成方法を用いて生成された電子番組表の一例を示す図である。図３（Ａ）は従来の電子番組表の例を示し、図３（Ｂ）は本発明の電子番組表の例を示す。本例において、電子番組表の縦軸をチャンネル方向とし、電子番組表の横軸を時間方向とする。図３（Ａ）に示す電子番組表と図３（Ｂ）に示す電子番組表の表示スペースは同じサイズであるものとする。
【００４１】
図３（Ａ）において、Ｔ１〜Ｔ３は時間方向の表示欄の幅を示す。幅Ｔ１は「１８：００〜１９：００」の放送時間帯、幅Ｔ２は「２０：００〜２２：００」の放送時間帯、幅Ｔ３は「１９：００〜２０：００」の放送時間帯に対応する。本例の場合、幅Ｔ３は“１０４ｃｈ”で放送される“プロ野球中継”の時間帯となる。また、Ｃ１〜Ｃ４はチャンネル方向の表示欄の高さを示す。高さＣ１〜Ｃ４はそれぞれ１０１〜１０４ｃｈに対応する。従来の電子番組表の場合、各番組の１時間当りの表示欄のサイズ（幅，高さ）は同じであるために、多くの番組を表示させると、視聴者が見たい番組とそうでない番組の区別がつきにくいめりはりのない番組表になってしまう。
【００４２】
これに対して、図３（Ｂ）の場合、ユーザの番組に対する検索情報（本例ではジャンル“スポーツ”）に合致する番組（本例では“プロ野球中継”）の表示欄が他の番組の表示欄と比較して大きくなるように、電子番組表が生成されている。この例によれば、１０４ｃｈの“プロ野球中継”の表示欄が通常サイズで表示され、他の番組の表示欄が縮小サイズで表示される。このため、“プロ野球中継”の表示欄が相対的に強調されて表示されることになる。また、“プロ野球中継”以外の他の番組の表示欄が縮小されることで、表示スペースができ、その表示スペースに番組を追加表示させることができる。図３（Ｂ）の場合、時間方向の「１７：００〜１８：００」、「２２：００〜２４：００」に放送される番組、及びチャンネル方向の“１０５ｃｈ“で放送される番組が追加される。
【００４３】
すなわち、電子番組表の時間方向の場合、“プロ野球中継”の表示欄に対応する時間帯「１９：００〜２０：００」の幅Ｔ３に変更はないが、図３（Ａ）に示す幅Ｔ１は時間方向に縮小され幅Ｔ１′に変更される。この結果、幅Ｔ１の表示スペースには、元の放送時間帯「１８：００〜１９：００」に加えて、さらに「１７：００〜１８：００」の放送時間帯に含まれる番組を表示させることができる。また、図３（Ａ）に示す幅Ｔ２は時間方向に縮小され幅Ｔ２′に変更される。この結果、幅Ｔ２の表示スペースには、元の放送時間帯「２０：００〜２２：００」に加えて、さらに「２２：００〜２４：００」の放送時間帯に含まれる番組を表示させることができる。
【００４４】
また、電子番組表のチャンネル方向の場合、“プロ野球中継”を放送する１０４ｃｈの表示欄の高さＣ４に変更はないが、図３（Ａ）に示す高さＣ１〜Ｃ３はチャンネル方向に縮小され高さＣ１′〜Ｃ３′に変更される。この結果、高さＣ１〜Ｃ４の表示スペースには、元のチャンネル１０１〜１０４ｃｈに加えて、さらに１０５ｃｈが放送する番組を表示させることができる。
【００４５】
図４は、本発明のＴＶ受像機１による電子番組表生成方法の全体の流れを説明するためのフロー図である。まず、ＴＶ受像機１は、ユーザ操作により、縮小／通常表示処理に切り替えられたかどうかを判定し（ステップＳ１）、縮小／通常表示処理に切り替えられていない場合（ＮＯの場合）、ステップＳ４に移行して、通常サイズの電子番組表をＯＳＤ表示する。また、ステップＳ１において、縮小／通常表示処理に切り替えられた場合（ＹＥＳの場合）、ＴＶ受像機１は、時間方向の縮小処理を行い（ステップＳ２）、さらに、チャンネル方向の縮小処理を行う（ステップＳ３）。そして、ＴＶ受像機１は、時間方向及びチャンネル方向に縮小処理された電子番組表をＯＳＤ表示する（ステップＳ４）。
【００４６】
図５は、図４に示したステップＳ２における時間方向縮小処理の一例を説明するためのフロー図である。このフローにおいて、Ｔｓは番組表表示範囲の開始時間、Ｔｃは縮小処理用カウンタ、Ｔｅは番組表表示範囲の終了時間、Ｃｓは番組表表示範囲の開始チャンネル、Ｃｃは縮小処理用カウンタ、Ｃｅは番組表表示範囲の終了チャンネル、縮小可能フラグの初期値は「無効」とする。
【００４７】
図５において、まず、ＴＶ受像機１は、縮小処理用カウンタＴｃを開始時間Ｔｓ（現在の時刻）にセットし（ステップＳ１１）、縮小処理用カウンタＴｃが終了時間Ｔｅ以下であるかどうかを判定する（ステップＳ１２）。
【００４８】
ＴＶ受像機１は、ステップＳ１２において、縮小処理用カウンタＴｃが終了時間Ｔｅ以下であると判定した場合（ＹＥＳの場合）、縮小処理用カウンタＴｃの開始チャンネルＣｓ〜終了チャンネルＣｅの番組データを抽出し（ステップＳ１３）、開始チャンネルＣｓ〜終了チャンネルＣｅに対して時系列の縮小処理が可能かどうかを判定する（ステップＳ１４）。また、ステップＳ１２において、縮小処理用カウンタＴｃが終了時間Ｔｅ以下でない、すなわち終了時間Ｔｅを超えると判定した場合（ＮＯの場合）、そのまま終了する。
【００４９】
ＴＶ受像機１は、ステップＳ１４において、開始チャンネルＣｓ〜終了チャンネルＣｅに対して時系列の縮小処理が可能である場合（縮小可の場合）、縮小処理用カウンタＴｃにおける開始チャンネルＣｓ〜終了チャンネルＣｅの番組の縮小可能フラグを「有効」にし（ステップＳ１５）、番組表表示範囲の終了時間Ｔｅに“１”を加算する（ステップＳ１６）。さらに、縮小処理用カウンタＴｃに“１”を加算して（ステップＳ１８）、ステップＳ１２に戻り処理を繰り返す。
【００５０】
また、ＴＶ受像機１は、ステップＳ１４において、開始チャンネルＣｓ〜終了チャンネルＣｅに対して時系列の縮小処理が不可である場合（縮小不可の場合）、縮小処理用カウンタＴｃにおける開始チャンネルＣｓ〜終了チャンネルＣｅの番組の縮小可能フラグを「無効」にし（ステップＳ１７）、ステップＳ１８に移行する。そして、縮小処理用カウンタＴｃに“１”を加算して（ステップＳ１８）、ステップＳ１２に戻り処理を繰り返す。
【００５１】
図６は、図５に示したステップＳ１４における時系列縮小可能判定処理の一例を説明するためのフロー図である。まず、ＴＶ受像機１は、縮小処理用カウンタＴｃの時間帯に含まれる番組（開始チャンネルＣｓ〜終了チャンネルＣｅ）をユーザが見ると設定してあるかどうかを判定し（ステップＳ２１）、ユーザが見ると設定していない場合（ＮＯの場合）、縮小処理用カウンタＴｃの時間帯に含まれる番組は縮小可と判定される。また、ステップＳ２１において、ユーザが見ると設定してある場合（ＹＥＳの場合）、ステップＳ２２に移行する。なお、ステップＳ２１において、ユーザが通常見ない番組を設定するようにしてもよい。この場合、ユーザが見ないと設定した番組が縮小可と判定される。
【００５２】
次に、ＴＶ受像機１は、縮小処理用カウンタＴｃにおける開始チャンネルＣｓ〜終了チャンネルＣｅ中にユーザが設定したキーワードが含まれているかどうかを判定し（ステップＳ２２）、ユーザが設定したキーワードが含まれていない場合（ＮＯの場合）、縮小処理用カウンタＴｃの時間帯に含まれる番組は縮小可と判定される。また、ステップＳ２２において、ユーザが設定したキーワードが含まれている場合（ＹＥＳの場合）、ステップＳ２３に移行する。
【００５３】
次に、ＴＶ受像機１は、縮小処理用カウンタＴｃにおける開始チャンネルＣｓ〜終了チャンネルＣｅ中にユーザが設定したジャンルが含まれているかどうかを判定し（ステップＳ２３）、ユーザが設定したジャンルが含まれていない場合（ＮＯの場合）、縮小処理用カウンタＴｃの時間帯に含まれる番組は縮小可と判定される。また、ステップＳ２３において、ユーザが設定したジャンルが含まれている場合（ＹＥＳの場合）、縮小処理用カウンタＴｃの時間帯に含まれる番組は縮小不可と判定される。
【００５４】
ステップＳ２１の条件Ａの判定処理により、ユーザが通常視聴しない時間帯の番組を縮小表示することができる。また、ステップＳ２２の条件Ｂの判定処理により、ユーザ設定したキーワードが含まれない時間帯の番組を縮小表示することができる。また、ステップＳ２３の条件Ｃの判定処理により、ユーザ設定したジャンルが含まれない時間帯の番組を縮小表示することができる。
なお、上記例においては条件Ａ〜条件Ｃの全ての条件を満たす場合に、「縮小不可」と判定しているが、条件Ａ〜条件Ｃの少なくとも１つの条件を満たす場合に、「縮小不可」と判定するようにしてもよい。
【００５５】
図７は、図４に示したステップＳ３におけるチャンネル方向縮小処理の一例を説明するためのフロー図である。まず、ＴＶ受像機１は、縮小処理用カウンタＣｃを開始チャンネルＣｓ（視聴チャンネル）にセットし（ステップＳ３１）、縮小処理用カウンタＣｃが終了チャンネルＣｅ以下であるかどうかを判定する（ステップＳ３２）。
【００５６】
ＴＶ受像機１は、ステップＳ３２において、縮小処理用カウンタＣｃが終了チャンネルＣｅ以下であると判定した場合（ＹＥＳの場合）、縮小処理用カウンタＣｃの開始時間Ｔｓ〜終了時間Ｔｅの番組データを抽出し（ステップＳ３３）、開始時間Ｔｓ〜終了時間Ｔｅに対してチャンネル系列の縮小処理が可能かどうかを判定する（ステップＳ３４）。また、ステップＳ３２において、縮小処理用カウンタＣｃが終了チャンネルＣｅ以下でない、すなわち終了チャンネルＣｅを超えると判定した場合（ＮＯの場合）、そのまま終了する。
【００５７】
ＴＶ受像機１は、ステップＳ３４において、開始時間Ｔｓ〜終了時間Ｔｅに対してチャンネル系列の縮小処理が可能である場合（縮小可の場合）、縮小処理用カウンタＣｃにおける開始時間Ｔｓ〜終了時間Ｔｅの番組の縮小可能フラグを「有効」にし（ステップＳ３５）、番組表表示範囲の終了チャンネルＣｅに“１”を加算する（ステップＳ３６）。さらに、縮小処理用カウンタＣｃに“１”を加算して（ステップＳ３８）、ステップＳ３２に戻り処理を繰り返す。
【００５８】
また、ＴＶ受像機１は、ステップＳ３４において、開始時間Ｔｓ〜終了時間Ｔｅに対してチャンネル系列の縮小処理が不可である場合（縮小不可の場合）、縮小処理用カウンタＣｃにおける開始時間Ｔｓ〜終了時間Ｔｅの番組の縮小可能フラグを「無効」にし（ステップＳ３７）、ステップＳ３８に移行する。そして、縮小処理用カウンタＣｃに“１”を加算して（ステップＳ３８）、ステップＳ３２に戻り処理を繰り返す。
【００５９】
図８は、図７に示したステップＳ３４におけるチャンネル系列縮小可能判定処理の一例を説明するためのフロー図である。まず、ＴＶ受像機１は、縮小処理用カウンタＣｃのチャンネルに含まれる番組（開始時間Ｔｓ〜終了時間Ｔｅ）をユーザが見ると設定してあるかどうかを判定し（ステップＳ４１）、ユーザが見ると設定していない場合（ＮＯの場合）、縮小処理用カウンタＣｃのチャンネルに含まれる番組は縮小可と判定される。また、ステップＳ４１において、ユーザが見ると設定してある場合（ＹＥＳの場合）、ステップＳ４２に移行する。なお、ステップＳ４１において、ユーザが通常見ない番組を設定するようにしてもよい。この場合、ユーザが見ないと設定した番組が縮小可と判定される。
【００６０】
次に、ＴＶ受像機１は、縮小処理用カウンタＣｃのチャンネル内のサービスが開始時間Ｔｓ〜終了時間Ｔｅの間で全て同じかどうかを判定し（ステップＳ４２）、全て同じであれば（ＹＥＳの場合）、縮小処理用カウンタＣｃのチャンネルに含まれる番組は縮小可と判定される。また、ステップＳ４２において、全て同じでない場合（ＮＯの場合）、縮小処理用カウンタＣｃのチャンネルに含まれる番組は縮小不可と判定される。
【００６１】
ステップＳ４１の条件Ａの判定処理により、ユーザが通常視聴しない時間帯の番組を縮小表示することができる。また、ステップＳ４２の条件Ｂの判定処理により、１チャンネル内に複数サービスが存在し、開始時間Ｔｓ〜終了時間Ｔｅ間のサービスが全て同じであった場合、１チャンネルに１サービスとなるように縮小表示を行うことができる。ＢＳデジタル放送では、１チャンネル内に全く同じ内容のサービスが３つ存在する場合があり、それぞれのサービスに対して番組情報が表示されていたが、ステップＳ４２の条件Ｂにより、１チャンネルに１サービスとして表示することができる。
【００６２】
なお、上記例においては条件Ａ，条件Ｂの全ての条件を満たす場合に、「縮小不可」と判定しているが、条件Ａ，条件Ｂの少なくとも１つの条件を満たす場合に、「縮小不可」と判定するようにしてもよい。
【００６３】
図９は、本発明のＴＶ受像機１による電子番組表ＯＳＤ表示処理の一例を説明するためのフロー図である。まず、ＴＶ受像機１は、時間方向に対して番組[Ｔｃ，Ｃｓ〜Ｃｅ]の縮小表示フラグが全て有効かどうかを判定し（ステップＳ５１）、縮小表示フラグが全て有効である場合（ＹＥＳの場合）、時間方向縮小フラグＦｔを“ＯＮ”にする（ステップＳ５２）。また、ステップＳ５１において、縮小表示フラグが全て有効でない場合（ＮＯの場合）、ステップＳ５３に移行する。
【００６４】
次に、ＴＶ受像機１は、チャンネル方向に対して番組[Ｔｓ〜Ｔｅ，Ｃｃ]の縮小表示フラグが全て有効かどうかを判定し（ステップＳ５３）、縮小表示フラグが全て有効である場合（ＹＥＳの場合）、チャンネル方向縮小フラグＦｃを“ＯＮ”にする（ステップＳ５４）。また、ステップＳ５３において、縮小表示フラグが全て有効でない場合（ＮＯの場合）、ステップＳ５５に移行する。
【００６５】
次に、ＴＶ受像機１は、縮小フラグの判定を行う（ステップＳ５５）。時間方向縮小フラグＦｔが“ＯＮ”の場合（Ｆｔ＝ＯＮの場合）、電子番組表を時間方向に縮小して描画する（ステップＳ５６）。また、チャンネル方向縮小フラグＦｃが“ＯＮ”の場合（Ｆｃ＝ＯＮの場合）、電子番組表をチャンネル方向に縮小して描画する（ステップＳ５７）。また、時間方向縮小フラグＦｔとチャンネル方向縮小フラグＦｃが共に“ＯＮ”の場合（Ｆｔ＝Ｆｃ＝ＯＮの場合）、電子番組表を時間方向／チャンネル方向に縮小して描画する（ステップＳ５８）。
【００６６】
次に、ＴＶ受像機１は、番組[Ｔｓ〜Ｔｅ，Ｃｓ〜Ｃｅ]全てに対して、電子番組表ＯＳＤ表示処理を行ったかどうか判定し（ステップＳ５９）、処理を行った場合（ＹＥＳの場合）、このまま終了する。また、ステップＳ５９において、処理を行っていない場合（ＮＯの場合）、ステップＳ５１に戻り処理を繰り返す。
【００６７】
以上説明したように、本発明によれば、電子番組表において一度に表示する情報量を減らすことなく、視聴者が見たい番組とそうでない番組の区別をつき易くした電子番組表を出力できるため、視聴者はより短時間で目的の番組を探すことができ、さらに、電子番組表全体の番組構成も確認することができる。
また、電子番組表において特定のジャンルやキーワード等に合致する番組を相対的に大きく表示し、視聴者が見たい番組とそうでない番組の区別をつき易くした電子番組表を出力できるため、めりはりのある電子番組表を表示し、視聴者は素早く目的の番組を探すことができる。
また、電子番組表を表示する際に、視聴者にとって必要な番組情報は大きく省略せずに表示し、不要な番組情報は電子番組表中に縮小（省略）した形で表示することができるため、より短時間で目的の番組を探すことが可能となる。
【図面の簡単な説明】
【００６８】
【図１】本発明に係るＴＶ受像機の構成例を示すブロック図である。
【図２】ＴＶ受像機が備えるＯＳＤ処理部の構成例を示すブロック図である。
【図３】本発明のＴＶ受像機による電子番組表生成方法を用いて生成された電子番組表の一例を示す図である。
【図４】本発明のＴＶ受像機による電子番組表生成方法の全体の流れを説明するためのフロー図である。
【図５】図４に示したステップＳ２における時間方向縮小処理の一例を説明するためのフロー図である。
【図６】図５に示したステップＳ１４における時系列縮小可能判定処理の一例を説明するためのフロー図である。
【図７】図４に示したステップＳ３におけるチャンネル方向縮小処理の一例を説明するためのフロー図である。
【図８】図７に示したステップＳ３４におけるチャンネル系列縮小可能判定処理の一例を説明するためのフロー図である。
【図９】本発明のＴＶ受像機による電子番組表ＯＳＤ表示処理の一例を説明するためのフロー図である。
【符号の説明】
【００６９】
１…ＴＶ受像機、１１，１２…受信アンテナ、１３…アナログチューナ部、１４…デジタルチューナ部、１５…ＡＶスイッチ部、１６…デジタル復調部、１７…分離部、１８…ビデオデコード／キャプチャ部、１９…ビデオセレクタ部、２０…ＯＳＤ処理部、２１…オーディオデコード部、２２…ビデオ出力変換部、２３…オーディオセレクタ部、２４…オーディオ出力変換部、２５…液晶表示装置、２６…スピーカ、２７…選局部、２８…ＲＡＭ、２９…ＣＰＵ、３０…不揮発性メモリ、３１…通信制御部、３２…リモコン受光部、３３…本体操作部、２０１…縮小／通常表示切替部、２０２…時間方向縮小処理部、２０２ａ…第１番組データ分割部、２０２ｂ…時系列縮小番組データ生成部、２０２ｃ…第１番組データ用バッファ、２０２ｄ…第１番組データ再構築部、２０３…チャンネル方向縮小処理部、２０３ａ…第２番組データ分割部、２０３ｂ…チャンネル系列縮小番組データ生成部、２０３ｃ…第２番組データ用バッファ、２０３ｄ…第２番組データ再構築部、２０４…番組データＯＳＤ化部。
【図１】
2009060503.tif 000003
【図２】
2009060503.tif 000004
【図３】
2009060503.tif 000005
【図４】
2009060503.tif 000006
【図５】
2009060503.tif 000007
【図６】
2009060503.tif 000008
【図７】
2009060503.tif 000009
【図８】
2009060503.tif 000010
【図９】
2009060503.tif 000011